【手続補正書】
【提出日】平成15年8月22日(2003.8.22)
【手続補正１】
【補正対象書類名】明細書
【補正対象項目名】特許請求の範囲
【補正方法】変更
【補正の内容】
【特許請求の範囲】
【請求項１】
通信システムにおいてフレーム処理とサブフレーム処理とを用いて音声を符号化する方法であって、
サブフレーム処理に先立つフレーム処理中に、
（ａ）音声信号をフレーム毎に入力するステップと、
（ｂ）この音声信号に基づいて、現在のフレームの各サブフレームの適応コードブック利得を決定するステップと、
（ｃ）この適応コードブック利得のベクトル量子化を行うステップと、
を備えており、サブフレーム処理中に、
（ｄ）現在のフレームの各サブフレームの固定コードブック利得を決定するステップ
を備えており、サブフレーム処理後に、
（ｅ）この固定コードブック利得の遅延決定ベクトル量子化を行うステップ
を備えている方法。
【請求項２】
前記音声信号が周期性であることを特徴とする請求項１に記載の方法。
【請求項３】
前記音声信号が非周期性であることを特徴とする請求項１に記載の方法。
【請求項４】
前記音声信号が非量子化加重音声信号であることを特徴とする請求項１に記載の方法。
【請求項５】
前記音声信号が非量子化線形予測符号化残差音声信号であることを特徴とする請求項１に記載の方法。
【請求項６】
前記音声信号が、量子化されていないオリジナルの音声信号であることを特徴とする請求項１に記載の方法。
【請求項７】
前記音声信号が、量子化されていない修正音声信号であることを特徴とする請求項１に記載の方法。
【請求項８】
前記ステップ（ｅ）において、固定コードブック利得のベクトル量子化を開ループで行うことを特徴とする請求項１に記載の方法。
【請求項９】
前記ステップ（ｅ）において、固定コードブック利得のベクトル量子化を閉ループで行うことを特徴とする請求項１に記載の方法。
【請求項１０】
前記ステップ（ｃ）および（ｅ）が協働することによって、音声信号の現在のフレームが非周期性である場合には適応コードブック利得と固定コードブック利得との同時ベクトル量子化を行うことを特徴とする請求項１に記載の方法。
【請求項１１】
前記ステップ（ｃ）において、適応コードブック利得のベクトル量子化を開ループまたは閉ループで行うことを特徴とする請求項１０に記載の方法。
【請求項１２】
前記ステップ（ｅ）において、固定コードブック利得のベクトル量子化を開ループまたは閉ループで行うことを特徴とする請求項１０に記載の方法。
【請求項１３】
前記ステップ（ｃ）が、
各サブフレームに対して、その適応コードブック利得を有するベクトルを生成するステップと、
生成したベクトルに最も近いベクトルを適応コードブック利得テーブルから検索するステップと、
を備えていることを特徴とする請求項１に記載の方法。
【請求項１４】
前記ステップ（ｅ）が、
各サブフレームに対して、その固定コードブック利得を有するベクトルを生成するステップと、
生成したベクトルに最も近いベクトルを固定コードブック利得テーブルから検索するステップと
を備えていることを特徴とする請求項１に記載の方法。
【請求項１５】
前記ステップ（ｄ）が、固定コードブック利得を伝送するステップを備えていることを特徴とする請求項１に記載の方法。
【請求項１６】
前記ステップ（ｄ）が、固定コードブック利得を修正するステップを備えていることを特徴とする請求項１に記載の方法。
【請求項１７】
前記ステップ（ｄ）が、固定コードブック利得を予測するステップを備えていることを特徴とする請求項１に記載の方法。
【請求項１８】
請求項１に記載の方法であって、
（ｆ）音声信号のその他の符号化を行うステップと、
（ｇ）符号化情報を受信器に送信するステップと、
（ｈ）符号化情報を受信器で受信するステップと、
（ｉ）符号化情報を復号して音声信号を再生するステップと、
を更に備えている方法。
【請求項１９】
音声信号を受信する音声符号化システムであって、
（ａ）この音声信号のフレームを処理するフレーム処理器であって、
非量子化ピッチ利得を求めるためのピッチ利得生成器と、
この非量子化ピッチ利得を受信して量子化ピッチ利得を生成するための第１のベクトル量子化器と、を備えているフレーム処理器と、
（ｂ）ピッチ利得生成器が非量子化ピッチ利得を求め、かつ、第１のベクトル量子化器が量子化ピッチ利得を生成した後に、サブフレーム処理を開始するサブフレーム処理器であって、非量子化固定コードブック利得を生成するための閉ループ生成器を備えているサブフレーム処理器と、
（ｃ）このサブフレーム処理器によるサブフレーム処理の後に、非量子化固定コードブック利得を受信して量子化固定コードブック利得を遅延決定閉ループで生成する第２のベクトル量子化器と、
を備えている音声符号化システム。
【請求項２０】
請求項１９に記載の音声符号化システムであって、前記音声信号が周期性であるかを判定する周期性信号検出器を更に備えている音声符号化システム。
【請求項２１】
請求項２０に記載の音声符号化システムであって、前記音声信号が周期性である場合には前記ピッチ利得生成器が非量子化ピッチ利得を求め、このピッチ利得生成器が非量子化ピッチ利得を求め、かつ、前記第１のベクトル量子化器が量子化ピッチ利得を生成した後、前記サブフレーム処理器がサブフレーム処理を開始することを特徴とする音声符号化システム。
【請求項２２】
請求項２１に記載の音声符号化システムであって、前記音声信号が周期性であるか非周期性であるかに拘わらず前記ピッチ利得生成器が非量子化ピッチ利得を求め、このピッチ利得生成器が非量子化ピッチ利得を求め、かつ、前記第１のベクトル量子化器が量子化ピッチ利得を生成した後に、前記サブフレーム処理器がサブフレーム処理を開始することを特徴とする音声符号化システム。
【請求項２３】
請求項１９に記載の音声符号化システムであって、全ての音声信号に対して前記ピッチ利得生成器が非量子化ピッチ利得を求め、このピッチ利得生成器が非量子化ピッチ利得を求め、かつ、前記第１のベクトル量子化器が量子化ピッチ利得を生成した後に、前記サブフレーム処理器がサブフレーム処理を開始することを特徴とする音声符号化システム。
【請求項２４】
前記音声信号を非量子化加重音声信号または非量子化線形予測符号化残差音声信号に変換するフィルタを更に備えている請求項１９に記載の音声符号化システム。
【請求項２５】
前記音声信号が、量子化されていないオリジナルの音声信号であることを特徴とする請求項１９に記載の音声符号化システム。
【請求項２６】
前記音声信号が、量子化されていない修正音声信号であることを特徴とする請求項１９に記載の音声符号化システム。
【請求項２７】
請求項１９に記載の音声符号化システムであって、
適応コードブック励振ベクトルを生成するための第１のコードブックと、
この適応コードブック励振ベクトルに量子化ピッチ利得を乗じて、定数倍適応コードブック利得ベクトルを生成する第１の乗算器と、
固定コードブック励振ベクトルを生成するための第２のコードブックと、
この固定コードブック励振ベクトルに固定コードブック利得を乗じて、定数倍固定コードブック利得ベクトルを生成する第２の乗算器と、
これらの定数倍適応コードブック利得ベクトルと定数倍固定コードブック利得ベクトルとを加算する加算器と、
を更に備えている音声符号化システム。
【請求項２８】
請求項１９に記載の音声符号化システムであって、前記閉ループ生成器が非量子化固定コードブック利得を生成する前に、前記第１のベクトル量子化器が適応コードブック利得のベクトル量子化を行うことを特徴とする音声符号化システム。
【請求項２９】
請求項１９に記載の音声符号化システムであって、前記第２のベクトル量子化器が、固定コードブック利得のベクトル量子化を遅延決定閉ループで行うことを特徴とする音声符号化システム。
【請求項３０】
請求項１９に記載の音声符号化システムであって、前記適応コードブック利得および前記固定コードブック利得の同時ベクトル量子化を、閉ループで行う第３のベクトル量子化器を更に備えている音声符号化システム。
【請求項３１】
請求項２７に記載の音声符号化システムであって、前記閉ループ生成器が非量子化固定コードブック利得を生成する前に、前記第１のベクトル量子化器が適応コードブック利得のベクトル量子化を行うことを特徴とする音声符号化システム。
【請求項３２】
請求項２７に記載の音声符号化システムであって、前記第２のベクトル量子化器が固定コードブック利得のベクトル量子化を、遅延決定閉ループで行うことを特徴とする音声符号化システム。
【請求項３３】
請求項２７に記載の音声符号化システムであって、前記適応コードブック利得および前記固定コードブック利得の同時ベクトル量子化を、閉ループで行う第３のベクトル量子化器を更に備えている音声符号化システム。
【請求項３４】
請求項２７に記載の音声符号化システムであって、前記フレームには現在のフレームが含まれており、各フレームには現在のサブフレームと以前のサブフレームとから成る複数のサブフレームが含まれており、前記第２のコードブックは、現在のサブフレームの量子化ピッチ利得を用いて現在のサブフレームに対する固定コードブック励振ベクトルを生成することを特徴とする音声符号化システム。
【請求項３５】
前記音声信号を、非量子化加重音声信号または非量子化線形予測符号化残差音声信号に変換するフィルタを更に備えている請求項２１に記載の音声符号化システム。
【請求項３６】
前記音声信号が、量子化されていないオリジナルの音声信号であることを特徴とする請求項２１に記載の音声符号化システム。
【請求項３７】
前記音声信号が、量子化されていない修正音声信号であることを特徴とする請求項２１に記載の音声符号化システム。
【請求項３８】
請求項２１に記載の音声符号化システムであって、
適応コードブック励振ベクトルを生成するための第１のコードブックと、
この適応コードブック励振ベクトルに量子化ピッチ利得を乗じて、定数倍適応コードブック利得ベクトルを生成する第１の乗算器と、
固定コードブック励振ベクトルを生成するための第２のコードブックと、
この固定コードブック励振ベクトルに固定コードブック利得を乗じて、定数倍固定コードブック利得ベクトルを生成する第２の乗算器と、
これらの定数倍適応コードブック利得ベクトルと定数倍固定コードブック利得ベクトルとを加算する加算器と、
を更に備えている音声符号化システム。
【請求項３９】
請求項２１に記載の音声符号化システムであって、前記音声信号が周期性である場合には前記閉ループ生成器が非量子化固定コードブック利得を生成する前に、前記第１のベクトル量子化器が適応コードブック利得のベクトル量子化を行うことを特徴とする音声符号化システム。
【請求項４０】
請求項２１に記載の音声符号化システムであって、前記音声信号が周期性である場合には前記第２のベクトル量子化器が固定コードブック利得のベクトル量子化を、遅延決定閉ループで行うことを特徴とする音声符号化システム。
【請求項４１】
請求項２１に記載の音声符号化システムであって、前記音声信号が非周期性である場合には前記適応コードブック利得および前記固定コードブック利得の同時ベクトル量子化を閉ループで行う第３のベクトル量子化器を更に備えている音声符号化システム。
【請求項４２】
請求項３８に記載の音声符号化システムであって、前記音声信号が周期性である場合には前記閉ループ生成器が非量子化固定コードブック利得を生成する前に、前記第１のベクトル量子化器が適応コードブック利得のベクトル量子化を行うことを特徴とする音声符号化システム。
【請求項４３】
請求項３８に記載の音声符号化システムであって、前記音声信号が周期性である場合には前記第２のベクトル量子化器が固定コードブック利得のベクトル量子化を、遅延決定閉ループで行うことを特徴とする音声符号化システム。
【請求項４４】
請求項３９に記載の音声符号化システムであって、前記音声信号が非周期性である場合には前記適応コードブック利得および前記固定コードブック利得の同時ベクトル量子化を、閉ループで行う第３のベクトル量子化器を更に備えている音声符号化システム。
【請求項４５】
請求項３８に記載の音声符号化システムであって、前記フレームには現在のフレームが含まれており、各フレームには現在のサブフレームと以前のサブフレームとから成る複数のサブフレームが含まれており、前記第２のコードブックは、現在のサブフレームの量子化ピッチ利得を用いて現在のサブフレームに対する固定コードブック励振ベクトルを生成することを特徴とする音声符号化システム。
【請求項４６】
前記音声信号を非量子化加重音声信号または非量子化線形予測符号化残差音声信号に変換するフィルタを更に備えている請求項２２に記載の音声符号化システム。
【請求項４７】
前記音声信号が、量子化されていないオリジナルの音声信号であることを特徴とする請求項２２に記載の音声符号化システム。
【請求項４８】
前記音声信号が、量子化されていない修正音声信号であることを特徴とする請求項２２に記載の音声符号化システム。
【請求項４９】
請求項２２に記載の音声符号化システムであって、
適応コードブック励振ベクトルを生成するための第１のコードブックと、
この適応コードブック励振ベクトルに量子化ピッチ利得を乗じて、定数倍適応コードブック利得ベクトルを生成する第１の乗算器と、
固定コードブック励振ベクトルを生成するための第２のコードブックと、
この固定コードブック励振ベクトルに固定コードブック利得を乗じて、定数倍固定コードブック利得ベクトルを生成する第２の乗算器と、
これらの定数倍適応コードブック利得ベクトルと定数倍固定コードブック利得ベクトルとを加算する加算器と、
を更に備えている音声符号化システム。
【請求項５０】
請求項２２に記載の音声符号化システムであって、前記閉ループ生成器が非量子化固定コードブック利得を生成する前に、前記第１のベクトル量子化器が適応コードブック利得のベクトル量子化を行うことを特徴とする音声符号化システム。
【請求項５１】
請求項２２に記載の音声符号化システムであって、前記第２のベクトル量子化器が固定コードブック利得のベクトル量子化を、遅延決定閉ループで行うことを特徴とする音声符号化システム。
【請求項５２】
前記音声信号が周期性信号または非周期性信号であることを特徴とする請求項５０に記載の音声符号化システム。
【請求項５３】
前記音声信号が周期性信号または非周期性信号であることを特徴とする請求項５１に記載の音声符号化システム。
【請求項５４】
請求項４９に記載の音声符号化システムであって、前記閉ループ生成器が非量子化固定コードブック利得を生成する前に、前記第１のベクトル量子化器が適応コードブック利得のベクトル量子化を行うことを特徴とする音声符号化システム。
【請求項５５】
請求項４９に記載の音声符号化システムであって、前記第２のベクトル量子化器が固定コードブック利得のベクトル量子化を、遅延決定閉ループで行うことを特徴とする音声符号化システム。
【請求項５６】
請求項４９に記載の音声符号化システムであって、前記フレームには現在のフレームが含まれており、各フレームには現在のサブフレームと以前のサブフレームとから成る複数のサブフレームが含まれており、前記第２のコードブックは、現在のサブフレームの量子化ピッチ利得を用いて現在のサブフレームに対する固定コードブック励振ベクトルを生成することを特徴とする音声符号化システム。
【請求項５７】
前記音声信号を、非量子化加重音声信号または非量子化線形予測符号化残差音声信号に変換するフィルタを更に備えている請求項２３に記載の音声符号化システム。
【請求項５８】
前記音声信号が、量子化されていないオリジナルの音声信号であることを特徴とする請求項２３に記載の音声符号化システム。
【請求項５９】
前記音声信号が、量子化されていない修正音声信号であることを特徴とする請求項２３に記載の音声符号化システム。
【請求項６０】
請求項２３に記載の音声符号化システムであって、
適応コードブック励振ベクトルを生成するための第１のコードブックと、
この適応コードブック励振ベクトルに量子化ピッチ利得を乗じて、定数倍適応コードブック利得ベクトルを生成する第１の乗算器と、
固定コードブック励振ベクトルを生成するための第２のコードブックと、
この固定コードブック励振ベクトルに固定コードブック利得を乗じて、定数倍固定コードブック利得ベクトルを生成する第２の乗算器と、
これらの定数倍適応コードブック利得ベクトルと定数倍固定コードブック利得ベクトルとを加算する加算器と、
を更に備えている音声符号化システム。
【請求項６１】
請求項２３に記載の音声符号化システムであって、前記閉ループ生成器が非量子化固定コードブック利得を生成する前に、前記第１のベクトル量子化器が適応コードブック利得のベクトル量子化を行うことを特徴とする音声符号化システム。
【請求項６２】
請求項２３に記載の音声符号化システムであって、前記第２のベクトル量子化器が固定コードブック利得のベクトル量子化を、遅延決定閉ループで行うことを特徴とする音声符号化システム。
【請求項６３】
前記音声信号が周期性信号または非周期性信号であることを特徴とする請求項６１に記載の音声符号化システム。
【請求項６４】
前記音声信号が周期性信号または非周期性信号であることを特徴とする請求項６２に記載の音声符号化システム。
【請求項６５】
請求項６０に記載の音声符号化システムであって、前記閉ループ生成器が非量子化固定コードブック利得を生成する前に、前記第１のベクトル量子化器が適応コードブック利得のベクトル量子化を行うことを特徴とする音声符号化システム。
【請求項６６】
請求項６０に記載の音声符号化システムであって、前記第２のベクトル量子化器が固定コードブック利得のベクトル量子化を、遅延決定閉ループで行うことを特徴とする音声符号化システム。
【請求項６７】
請求項６０に記載の音声符号化システムであって、前記フレームには現在のフレームが含まれており、各フレームには現在のサブフレームと以前のサブフレームとから成る複数のサブフレームが含まれており、前記第２のコードブックは、現在のサブフレームの量子化ピッチ利得を用いて現在のサブフレームに対する固定コードブック励振ベクトルを生成することを特徴とする音声符号化システム。
【請求項６８】
通信システムにおける音声符号化方法であって、
（ａ）音声信号をフレーム毎に入力するステップであって、このフレームには現在のフレームが含まれており、各フレームには現在のサブフレームと以前のサブフレームとから成る複数のサブフレームが含まれていることを特徴とするステップと、
（ｂ）この音声信号の現在のフレームが周期性であるかを決定するステップと、
（ｃ）非量子化ピッチ利得を求めるステップと、
（ｄ）この非量子化ピッチ利得をベクトル量子化して量子化ピッチ利得を生成するステップと、
（ｅ）音声信号の現在のフレームが周期性である場合にはステップ（ｃ）および（ｄ）の完了後にサブフレーム処理を行うステップであって、このサブフレーム処理は、
（１）非量子化固定コードブック利得を閉ループで生成するステップと、
（２）このサブフレーム処理の終了時に、この非量子化固定コードブック利得をベクトル量子化して、量子化固定コードブック利得を遅延決定閉ループで生成するステップと、
を備えていることを特徴とするステップと、
を備えている方法。
【請求項６９】
請求項６８に記載の音声符号化方法であって、
適応コードブック励振ベクトルを生成するステップと、
この適応コードブック励振ベクトルに量子化ピッチ利得を乗じて、定数倍適応コードブック利得ベクトルを生成するステップと、
固定コードブック励振ベクトルを生成するステップと、
この固定コードブック励振ベクトルに固定コードブック利得を乗じて、定数倍固定コードブック利得ベクトルを生成するステップと、
これらの定数倍適応コードブック利得ベクトルと定数倍固定コードブック利得ベクトルとを加算するステップと、
を更に備えている方法。
【請求項７０】
請求項６９に記載の音声符号化方法であって、固定コードブック励振ベクトルを生成する前記ステップが、現在のサブフレームの量子化ピッチ利得を用いて現在のサブフレームに対する固定コードブック励振ベクトルを得ることを含んでいることを特徴とする方法。
【請求項７１】
請求項６９に記載の音声符号化方法であって、前記音声信号が周期性信号でない場合には、ステップ（ｃ）および（ｄ）の完了後にサブフレーム処理を行う前記ステップが、
（１）非量子化固定コードブック利得を閉ループで生成するステップと、
（２）このサブフレーム処理の終了時に、この非量子化固定コードブック利得をベクトル量子化して量子化固定コードブック利得を遅延決定閉ループで生成するステップと、
を備えていることを特徴とする方法。
【請求項７２】
通信システムにおける音声符号化方法であって、
（ａ）音声信号をフレーム毎に入力するステップであって、このフレームには現在のフレームが含まれており、各フレームには現在のサブフレームと以前のサブフレームとから成る複数のサブフレームが含まれていることを特徴とするステップと、
（ｂ）非量子化ピッチ利得を求めるステップと、
（ｃ）この非量子化ピッチ利得をベクトル量子化して量子化ピッチ利得を生成するステップと、
（ｄ）ステップ（ｂ）および（ｃ）の完了後にサブフレーム処理を行うステップであって、このサブフレーム処理は、
（１）非量子化固定コードブック利得を閉ループで生成するステップと、
（２）このサブフレーム処理の終了時に、この非量子化固定コードブック利得をベクトル量子化して量子化固定コードブック利得を遅延決定閉ループで生成するステップと、
を備えていることを特徴とするステップと、
を備えている方法。
【請求項７３】
請求項７２に記載の音声符号化方法であって、
適応コードブック励振ベクトルを生成するステップと、
この適応コードブック励振ベクトルに量子化ピッチ利得を乗じて、定数倍適応コードブック利得ベクトルを生成するステップと、
固定コードブック励振ベクトルを生成するステップと、
この固定コードブック励振ベクトルに固定コードブック利得を乗じて、定数倍固定コードブック利得ベクトルを生成するステップと、
これらの定数倍適応コードブック利得ベクトルと定数倍固定コードブック利得ベクトルとを加算するステップと、
を更に備えている方法。
【請求項７４】
請求項７３に記載の音声符号化方法であって、固定コードブック励振ベクトルを生成する前記ステップが、現在のサブフレームの量子化ピッチ利得を用いて現在のサブフレームに対する固定コードブック励振ベクトルを得ることを含んでいることを特徴とする方法。
【請求項７５】
前記音声信号が周期性信号であることを特徴とする請求項７２に記載の音声符号化方法。
【請求項７６】
前記音声信号が非周期性信号であることを特徴とする請求項７２に記載の音声符号化方法。
【請求項７７】
複数のサブフレームを有するフレームを有する音声信号を受信する音声符号化システムであって、
フレームの複数のサブフレームの各々に対する非量子化ピッチ利得を導出するピッチ利得生成器と、
非量子化ピッチ利得を受信して量子化ピッチ利得を生成する第１のベクトル量子化器と、
ピッチ利得生成器が非量子化ピッチ利得を導出して第１のベクトル量子化器が量子化ピッチ利得を生成した後にサブフレーム処理を開始するサブフレームプロセッサであって、非量子化固定コードブック利得を生成する閉ループ生成器を備えているサブフレームプロセッサと、
非量子化固定コードブック利得を受信して量子化固定コードブック利得を生成する第２のベクトル量子化器と、
を備えている音声符号化システム。
【請求項７８】
音声信号が周期性であるか否かを判定する周期性信号検出器を更に備えている請求項７７に記載の音声符号化システム。
【請求項７９】
音声信号が周期性である場合にピッチ利得生成器が非量子化ピッチ利得を導出するのであり、ピッチ利得生成器が非量子化ピッチ利得を導出して第１のベクトル量子化器が量子化ピッチ利得を生成した後にサブフレームプロセッサがサブフレーム処理を開始することを特徴とする請求項７８に記載の音声符号化システム。
【請求項８０】
ピッチ利得生成器が非量子化ピッチ利得を導出するのであり、ピッチ利得生成器が非量子化ピッチ利得を導出して第１のベクトル量子化器が量子化ピッチ利得を生成した後にサブフレームプロセッサがサブフレーム処理を開始することを特徴とする請求項７７に記載の音声符号化システム。
【請求項８１】
サブフレームプロセッサによるサブフレーム処理の後に第２のベクトル量子化器が遅延決定閉ループにおける量子化固定コードブック利得を生成することを特徴とする請求項７７に記載の音声符号化システム。
【請求項８２】
複数のサブフレームを有するフレームを有する音声信号を符号化する方法であって、
複数のサブフレームの各々に対する適応コードブック利得を決定するステップと、
この決定するステップで、決定された複数のサブフレームの適応コードブック利得のベクトル量子化を行うステップと、
この行うステップの完了後に、複数のサブフレームの各々に対する固定コードブック利得を決定するステップと、
複数のサブフレームの固定コードブック利得のベクトル量子化を行うステップと、
を備えている方法。
【請求項８３】
固定コードブック利得のベクトル量子化を行うステップが遅延決定を行うことを特徴とする請求項８２に記載の方法。
【請求項８４】
音声信号が周期性である場合にのみその方法が実行されることを特徴とする請求項８２に記載の方法。
【請求項８５】
音声信号が非量子化加重音声信号であることを特徴とする請求項８２に記載の方法。
【請求項８６】
音声信号が非量子化線形予測符号化残差音声信号であることを特徴とする請求項８２に記載の方法。
【請求項８７】
音声信号が量子化されていないオリジナルの音声信号であることを特徴とする請求項８２に記載の方法。
【請求項８８】
固定コードブック利得のベクトル量子化が開ループで行われることを特徴とする請求項８２に記載の方法。